(57)【要約】【課題】  コピー、プリント等による印刷物ベースの情報漏洩対策システムにおいて、情報漏洩対策が行なわれたかどうかの確認を容易に行なう事を目的とする。【解決手段】  ＭＦＰ、クライアントＰＣ、サーバの構成。【選択図】  図１
2008052562.tif 000002
【特許請求の範囲】
【請求項１】
マルチファンクション機能を有するマルチファンクションデバイス（ＭＦＰ）と
ある印刷制御コード体系に基づく印刷データを送信するクライアントPCと
サーバとしてＭＦＰと通信手段を通じて画像データと関連情報をやり取りするサーバからなる画像処理システムであって
前述ホストコンピュータは前述MFPに送信する印刷データに地紋画像を付加する手段をもち
前述ＭＦＰは受信した印刷データを解析して、そのジョブの属性情報であるジョブ情報を保存する手段と
印刷イメージデータを保存する手段と
地紋画像付印刷データであるかないかの判別手段と付加された地紋画像イメージを分離して保存する手段と
前記ジョブ情報に地紋画像付印刷データであるかないかの情報を記録する手段をもち
前述サーバは前記ＭＦＰ内の前述ジョブ情報、印刷イメージデータ、地紋画像イメージデータを取得して保存する手段と
前述保存された印刷イメージデータを表示画面に表示する手段と
前述保存された地紋画像イメージデータを表示画面に表示する手段と
前述保存された印刷イメージデータと地紋画像イメージデータを用いて、表示画面に地紋を強調表示する手段を持つこと特徴とする画像処理システム。
【請求項２】
前述強調表示する手段として、
サーバに地紋画像イメージデータの表示画面と地紋画像イメージデータを表示画面を交互に切り替えて表示する手段を持つことを特徴とする請求項１の画像処理システム。
【請求項３】
前述強調表示する手段として
サーバに前述印刷イメージデータの出力物を複写（コピー）した際に出力される地紋が浮き出る場合の画像を表示する手段を持つことを特徴とする請求項１の画像処理システム。
【発明の詳細な説明】
【技術分野】
【０００１】
本発明は、プリンタ機能、ファクシミリ機能、スキャン機能、コピー機能等のマルチファンクション機能を持つデジタル複写機やプリンタ等の Multi Function Peripheral(MFP)の管理システムに関し、特に、印刷ジョブの情報及び印刷イメージをサーバに保存する事により、実際に印刷された情報・サーバ上で表示して内容を確認することが可能な画像処理システムに関する物である。
【背景技術】
【０００２】
コピー、プリント等による印刷物ベースの情報漏洩対策として、ジョブに関する情報と印刷イメージデータを保存し、その内容を用いて印刷物の情報を管理・監視する事で情報漏洩への抑止効果をもたらすシステムが導入されている（特許文献１参照）。
【０００３】
同時に、コピーを牽制する文字列（「VOID」「コピー禁止」、「社外秘」など）や印刷者の情報を隠し文字として埋め込むこと機能（地紋機能）により不正な情報流出の抑止に努めている。
【特許文献１】特開２００２−１４９３７１号公報
【発明の開示】
【発明が解決しようとする課題】
【０００４】
しかしながら、従来の技術において監視者（管理者）が、サーバ内の出力イメージをチェックする時に、地紋画像付で印刷されたかどうかは地紋が表示画面上ではほとんど判別できない為、一見しただけでは確認できないといった問題が存在する。
【０００５】
本発明では、上記のような問題点に対して出力イメージの表示画面上で地紋が付加されているかどうかの確認を容易に行なう事を可能にする画像処理システムを提供することを目的とする。
【課題を解決するための手段】
【０００６】
本発明に係わるシステムは、
ネットワークに接続されたMFPと管理サーバとクライアントPCからなる。
【０００７】
前述MFPは
ジョブの属性情報（ユーザ名、ジョブ名などジョブに関する情報）であるジョブ情報を保存する手段と地紋画像付ジョブであるかを判別する手段をもつ。
【０００８】
さらに、印刷イメージデータを保存する手段と
地紋画像付ジョブの場合地紋イメージデータを印刷イメージデータとは別に保存する手段と
前述ジョブ情報に地紋画像付ジョブであるかないかの情報を記録する手段をもつ。
【０００９】
前述クライアントPCは
前述MFPに送信する印刷ジョブに地紋画像を付加する手段をもつ。
【００１０】
前述管理サーバは、
前述MFPに保存されている印刷ログデータ（ジョブ情報、印刷イメージデータ、地紋イメージデータ）をネットワークを通じで取得する手段と
取得した前記印刷ログデータを保存する手段をもつ。
【００１１】
また前述管理サーバは、前述保存した地紋イメージデータを表示画面に表示する手段と
前述保存した印刷イメージデータを表示画面に表示する手段と
前述地紋イメージデータと地紋イメージデータを表示画面に交互に表示する手段をもつ。
【００１２】
さらに前述管理サーバは、前述保存された地紋イメージデータと印刷イメージデータを用いて前述印刷イメージデータの出力物を複写（コピー）した際に出力される地紋が浮き出る場合の表示用画像を生成する手段と
前述生成された表示用画像を表示画面に表示する手段をもつ。
【００１３】
以上の手段を具備する事を特徴とする画像処理システムである。
【発明の効果】
【００１４】
以上説明したように本発明によれば、従来技術において監視者（管理者）が、保存された印刷イメージデータをチェックする時に、地紋機能付で印刷されたかどうかは表示画面上で一見しただけではほとんど確認できないといった問題があった。
【００１５】
しかし、印刷された印刷イメージデータの他に地紋イメージデータと地紋機能付印刷であった事印刷ログとして保存し、それらの情報により表示画面上で地紋を強調して画面表示する事により、地紋機能付で印刷されたかどうかの確認が表示画面上で容易に行なう事が可能になり、監視者（管理者）の印刷物の監視作業がより効率的になる。
【発明を実施するための最良の形態】
【００１６】
（実施例１）
以下、本発明に係わる実施例を添付図面に従って説明する。
【００１７】
図１は、本発明の実施例によるシステムの構成を示すブロック図である。
【００１８】
本実施例による画像処理システムはネットワーク1を通じてクライアントPC１、２及びMFP３,管理サーバ４と接続されている。
【００１９】
図２は、図１に示したMFP3の構成を示すブロック図である。
【００２０】
図２において、２０１はシステム管理部であり、デバイスとしてサポートしている各種機能及びデバイス全体を管理して各種機能の制御を行なっている。なおシステム管理部２０１は、図示しないＣＰＵ，ＲＡＭ，ＲＯＭを備える制御ユニットを備え、ハードディスク，ＲＯＭ等に記憶される制御プログラムを実行して、MFP３の全体の処理を制御するものとする。
【００２１】
２０２は操作部であり、端末としての機能をユーザに提供するためのユーザインタフェースとなっている。２０３は読取制御部であり、スキャナ２０４の読取り処理の制御を行なう。２０５は記録制御部であり、プリンタ２０６及び接続されたフィニッシャ（排紙部ユニット），両面記録ユニット等の駆動制御を行なう。
【００２２】
２０７は通信制御部であり、回線制御部２０８を介して通常のＦＡＸ送受信を制御する。
【００２３】
２０９はメモリ管理部であり、メモリ２１０を各制御部に割り当て、各種データ等の蓄積管理等を行なう。
【００２４】
２１１は地紋制御部であり、地紋機能の有無の判別などの地紋機能関係の制御処理を行なう。
【００２５】
２１２は画像処理部であり、スキャナで読み取ったデータやＦＡＸ送受信用のデータに必要な各種符号化を含む画像処理を行なう。
【００２６】
２１３はＰＤＬ制御部であり、ネットワークＬＡＮを介して受け付けたＰＤＬデータをＰＤＬ処理部用いてイメージデータに変換し、該変換されたデータは、一般的には記録制御部に渡されてプリンタ２０６から出力される。
【００２７】
２１４は外部Ｉ／Ｆ制御部であり、この例ではＬＡＮ制御部２１５を介して、ネットワークＬＡＮ上のクライアントPC、もしくは、管理サーバと所定のデータ通信、制御をシステム管理部２０１の管理下で行なう。
【００２８】
２１６は印刷ログ制御部で、ユーザ名、ユーザID,ジョブ名、地紋付加の有無等の印刷に関する情報であるジョブ情報と印刷イメージデータ及び地紋付の場合はその地紋のみのイメージデータを印刷ログとして２１７の印刷ログデータ保存部に保存する。
【００２９】
図３は印刷ログデータ保存部２１７の詳細であり印刷ジョブ毎にジョブに関する属性情報（ユーザ名、ユーザID,ジョブ名、タイムスタンプ、地紋付加の有無等）を保存するジョブ情報保存部３０１及び印刷イメージデータ、地紋イメージデータを保存するイメージデータ保存部３０２が存在する。
【００３０】
クライアントPC１、２には図４−１が示すプリンタドライバが存在し、図4−２で示すように地紋機能を付加する為に必要な制御命令及び地紋データを付加した印刷ジョブデータを生成する。
【００３１】
本実施例では、図４−２−１で示す地紋と図４−２−２で示す印刷データを例として説明する。
【００３２】
図５は管理サーバ４の構成を示すブロック図である。
【００３３】
５０１はログ情報保存部であり、MFP３から取得する印刷ログデータを保存する領域である。
【００３４】
ログ情報取得制御部５０２はMFP３からの印刷ログデータ取得の制御を行なう。
【００３５】
ログ情報表示制御部５０３は印刷ログデータの表示に関する制御を行なう。
【００３６】
入力部５０４はキーボード。マウスなどの管理サーバの入力インタフェースである。
【００３７】
表示部５０５は表示装置であるディスプレイである。
【００３８】
次に第1、２，３，４、５図示す本発明の動作例について、クライアントPCで動作するプログラムの動作を示すフローチャート図６とMFP３の制御過程を示すフローチャートである図７及び管理サーバ４内で動作するプログラムの動作を示すフローチャートである第８、９図を参照して説明する。
【００３９】
図６において
まず、クライアントPCはMFP3に送信する印刷ジョブデータをPrinterDriverで生成する。ユーザが地紋付加を選択した場合（S601）、地紋が付加されない印刷ジョブデータを生成し（S603）,地紋データを作成（S604）そして地紋付加命令と生成した地紋データを印刷ジョブデータに付加し（S605）MFP３へ送信する。（S606）
地紋付加が選択されない場合、印刷ジョブデータを生成し（S602）, MFP３へ送信する。（S606）
図７において、
MFP３は外部Ｉ／Ｆ制御部２１４の制御の元にＬＡＮ制御部２１５を介して上記印刷ジョブデータを受信し（S７０１）、印刷ログ制御部216の制御の元に、ジョブ情報を解析して（Ｓ７０２）ジョブに関する属性情報（ユーザ名、ユーザID,ジョブ名、タイムスタンプ）を印刷ログデータ保存部217のジョブ情報保存部301に保存する。（S７03）
次に、地紋制御部211の制御の元に印刷ジョブデータに地紋が付加されているかを判別する。（Ｓ７０４）。地紋が付加されていない場合、ＰＤＬ制御部２１３の制御の元に印刷イメージデータを作成して（Ｓ７０５）、印刷ログ制御部２１６の制御の元に前記印刷イメージデータを印刷ログデータ保存部２１７のイメージデータ保存部３０２に保存すると共に（Ｓ７０６）、プリンタ２０６で印刷を実行する。（Ｓ７０７）
地紋が付加されている場合、印刷ログ制御部216の制御の元に、印刷ログデータ保存部217のジョブ情報保存部301の前述記録されたジョブに関する属性情報に地紋付加有りの情報を記録し（Ｓ７０8）、地紋制御部211及びＰＤＬ制御部２１３の制御の元に地紋イメージを生成（Ｓ７０9）する。
【００４０】
そして印刷ログ制御部216の制御の元に前述地紋イメージデータを印刷ログデータ保存部２１７のイメージデータ保存部３０２に保存し（Ｓ７10）、ＰＤＬ制御部２１３の制御の元に印刷イメージデータを作成して（Ｓ７1１）、印刷ログ制御部の制御の元に前記印刷イメージデータを印刷ログデータ保存部２１７のイメージデータ保存部３０２に保存すると共に（Ｓ７1２）、地紋制御部211の制御の元に印刷イメージデータと地紋イメージデータから地紋付印刷データを生成し（Ｓ７１３）、プリンタ２０６で印刷を実行する。（Ｓ７07）
図８においては
管理サーバ４では、MFP3からログ情報取得制御部５０２の制御の元に印刷ログデータを取得し(S801),ログ情報記憶部５０１に保存する(S802)。入力部50４より印刷ログデータの表示が指示されるとジョブ情報保存部５０１の保存されているジョブ情報を元に地紋付印刷であったかどうかを判別する。（Ｓ８０３）
地紋付加ではない場合、ログ情報表示制御部５０３の制御の元にログ情報記憶部５０１に保存されている印刷イメージデータを用いて画面表示用データを生成して（Ｓ８０４）印刷イメージを表示する。（Ｓ８０６）
地紋付印刷だった場合、ログ情報表示制御部５０３の制御の元に地紋を強調した画面表示処理を行なう。（Ｓ８０５）
S805の処理詳細に関して２つの例を図９のフローチャートと図１０を用いて説明する。
【００４１】
第一の例の場合、
ログ情報表示制御部５０３の制御の元にログ情報記憶部５０１に保存されている地紋イメージから地紋イメージのみの画像表示用データ(10-A)を作成する。（S901）
次にログ情報表示制御部５０３の制御の元にログ情報記憶部５０１に保存されている印刷イメージデータを用いて印刷イメージの地画面表示用データ(10-B)を生成する。（S902）
そして、ログ情報表示制御部５０３の制御の元に地紋イメージのみの画像表示用データ(10-A)と印刷イメージの地画面表示用データ(10-B)を交互に一定周期で表示部505に表示する。(S903)
第２の例の場合、
ログ情報表示制御部５０３の制御の元にログ情報記憶部５０１に保存されている地紋イメージと印刷イメージデータから複写時に地紋が浮き出る場合の画像画面表示用データ（10-C）を生成する。(S904)
そして、ログ情報表示制御部５０３の制御の元に画像画面表示用データ（10-C）を表示部505に表示する。
【図面の簡単な説明】
【００４２】
【図１】本発明の実施例によるシステムの構成を示すブロック図である。
【図２】図１に示したMFP3の構成を示すブロック図である。
【図３】印刷ログデータ保存部の詳細を示す図である。
【図４】本発明の画像形成装置の外観を示すである。
【図５】印刷ジョブデータの生成を説明するための図である。
【図６】クライアントPCで動作するプログラムの動作を示すフローチャートである。
【図７】MFPの制御過程を示すフローチャートである。
【図８】管理サーバ内で動作するプログラムの動作を示すである。
【図９】管理サーバ内で動作するプログラムの動作を示すである。
【図１０】画像表示用データの作成を説明するための図である。
【図１】
2008052562.tif 000003
【図２】
2008052562.tif 000004
【図３】
2008052562.tif 000005
【図４】
2008052562.tif 000006
【図５】
2008052562.tif 000007
【図６】
2008052562.tif 000008
【図７】
2008052562.tif 000009
【図８】
2008052562.tif 000010
【図９】
2008052562.tif 000011
【図１０】
2008052562.tif 000012